(57)【要約】【課題】  実用性に優れるデータ転送機能を有したデータ転送装置および方法を提供する。【解決手段】  アンテナ１を介して受信した放送信号に従う番組データはＨＤＤ５に記録される。ＨＤＤ５に記録されたシリーズものの複数の番組データはＤＶＤ−Ｒ１６に転送して格納する。シリーズものの複数の番組データのうち、ＤＶＤ−Ｒ１６の記録可能な最大データ量を超えない総データ量となる最大個数の番組データが、ＨＤＤ５に記録済か否か判別する。記録済と判別されたとき、この最大個数の番組データをＨＤＤ５から読出してＤＶＤ−Ｒ１６に転送し、ＤＶＤ−Ｒ１６に書込んで記憶する。【選択図】        図１
2006005632.tif 000002
【特許請求の範囲】
【請求項１】
ディスク装置に記録されたシリーズものの複数の番組データを所定の記録媒体に転送して格納するデータ転送装置であって、
前記ディスク装置に記録済の前記複数の番組データは、前記所定記録媒体の記録可能な最大データ量を超えない総データ量となる最大個数の前記番組データを含むか否かを判別する記録判別手段と、
前記記録判別手段により前記最大個数の前記番組データを含むと判別されたとき、前記最大個数の前記番組データを前記ディスク装置から前記所定記録媒体に転送するデータ転送手段と、
前記記録判別手段により前記最大個数の前記番組データを含むと判別されたとき、前記番組データのタイトルを表示して、前記ディスク装置から前記所定記録媒体へのデータ転送をするか否かを問合せる転送問合せ手段と、
放送信号を受信して、受信した前記放送信号に基づく前記シリーズものの複数の番組データを前記ディスク装置に記録する番組データ記録手段とを備えて、
前記データ転送手段は、前記記録判別手段により前記最大個数の前記番組データを含むと判別されて、かつ前記転送問合せ手段の問合せに応答した転送の指示を外部から入力すると、前記最大個数の前記番組データを前記ディスク装置から前記所定記録媒体に転送し、
前記記録判別手段は、前記ディスク装置に記録済の前記複数の番組データが、前記データ転送手段により前記所定記録媒体に未だ転送されていない前記番組データであって、かつ前記所定記録媒体の記録可能な最大データ量を超えない総データ量となる最大個数の前記番組データを含むか否か判別することを特徴とする、データ転送装置。
【請求項２】
ディスク装置に記録されたシリーズものの複数の番組データを所定の記録媒体に転送して格納するデータ転送装置であって、
前記ディスク装置に記録済の前記複数の番組データは、前記所定記録媒体の記録可能な最大データ量を超えない総データ量となる最大個数の前記番組データを含むか否かを判別する記録判別手段と、
前記記録判別手段により前記最大個数の前記番組データを含むと判別されたとき、前記最大個数の前記番組データを前記ディスク装置から前記所定記録媒体に転送するデータ転送手段とを備える、データ転送装置。
【請求項３】
前記記録判別手段により前記最大個数の前記番組データを含むと判別されたとき、前記番組データのタイトルを表示して、前記ディスク装置から前記所定記録媒体へのデータ転送をするか否かを問合せる転送問合せ手段をさらに備えて、
前記データ転送手段は、前記記録判別手段により前記最大個数の前記番組データを含むと判別されて、かつ前記転送問合せ手段の問合せに応答した転送の指示を外部から入力すると、前記最大個数の前記番組データを前記ディスク装置から前記所定記録媒体に転送することを特徴とする、請求項２に記載のデータ転送装置。
【請求項４】
前記記録判別手段は、前記ディスク装置に記録済の前記複数の番組データが、前記データ転送手段により前記所定記録媒体に未だ転送されていない前記番組データであって、かつ前記所定記録媒体の記録可能な最大データ量を超えない総データ量となる最大個数の前記番組データを含むか否か判別することを特徴とする、請求項２または３に記載のデータ転送装置。
【請求項５】
放送信号を受信して、受信した前記放送信号に基づく前記シリーズものの複数の番組データを前記ディスク装置に記録する番組データ記録手段をさらに備える、請求項２から４のいずれか１項に記載のデータ転送装置。
【請求項６】
ディスク装置に記録されたシリーズものの複数の番組データを所定の記録媒体に転送して格納するデータ転送方法であって、
前記ディスク装置に記録済の前記複数の番組データは、前記所定記録媒体の記録可能な最大データ量を超えない総データ量となる最大個数の前記番組データを含むか否かを判別する記録判別ステップと、
前記記録判別ステップにより前記最大個数の前記番組データを含むと判別されたとき、前記最大個数の前記番組データを前記ディスク装置から前記所定記録媒体に転送するデータ転送ステップとを備える、データ転送方法。
【発明の詳細な説明】
【技術分野】
【０００１】
この発明はデータ転送装置および方法に関し、特に、ディスク装置に記録された番組データを転送して別の記録媒体に記録することの可能なデータ転送装置および方法に関する。
【背景技術】
【０００２】
ＨＤ（Hard disk）を用いたレコーダなどのデジタルビデオレコーダでは、連続ドラマなどをＨＤに録画し、連続ドラマの複数回の放送分を録画終了した時点で録り貯めていた連続ドラマの番組データをＤＶＤ−Ｒ（Digital Versatile Disc−Recordable)へ格納し、ここに保存したいというユーザの要求がある。従来のデジタルビデオレコーダであれば、ユーザはその連続ドラマなどを毎週予約録画機能などを用いてＨＤに録り貯めて、ＤＶＤ−Ｒに１枚分収まるだけの放送回数分を録り貯めた時点で転送してＤＶＤ−Ｒへ保存する処理を行なう。
【０００３】
このような技術に関して、連続ドラマなどの連続性のある番組の録画予約などに関する技術は特許文献１に示されている。また、特許文献２は、連続ドラマなどの連続性の有る放送番組をＨＤに記録するについての改良技術を開示する。また特許文献３は、シリーズものの番組の自動録画をする場合に録画ミスの回避や自動録画の改良に関する技術を提案する。しかしながら、これら文献ではＨＤに録画した番組データをＤＶＤに転送して保存する技術の改良は提案されていない。
【特許文献１】特開２００２−２１８３３号公報
【特許文献２】特開２００２−３３９８３号公報
【特許文献３】特開２００１−２４５２４４号公報
【発明の開示】
【発明が解決しようとする課題】
【０００４】
このように、従来は、ＤＶＤ−Ｒ１枚分へ収まるだけの容量の番組データを録り貯めることができたかどうかは、ユーザ自身が録画のビットレートとＤＶＤ−Ｒの記録可能な容量を考慮しながら計算して転送のタイミングを判断するしかない。また、この計算は容易でないので実用性に優れない。また、ＨＤに録り貯め過ぎて、ＨＤの空き容量がなくなってしまうと、ドラマを録り逃がしてしまう惧れもある。
【０００５】
また、従来から提供されている製品には、「予約ディスク作成」機能を備えたものがある。この機能は、デジタル情報を記録するためのＤＶＤ−ＲＡＭの１枚に対して、予約録画を１件だけ設定し、その予約録画をしようとすると、装置が、ユーザに対して、その予約されたＤＶＤ−ＲＡＭのディスクを使用するよう促すような機能である。したがって、ユーザがＨＤに記録した番組データのうちＤＶＤ−ＲＡＭに転送して保存するデータを任意に選択することはできず、実用性に優れない。
【０００６】
それゆえにこの発明の目的は、実用性に優れるデータ転送機能を有したデータ転送装置および方法を提供することである。
【課題を解決するための手段】
【０００７】
この発明のある局面に従うデータ転送装置は、ディスク装置に記録されたシリーズものの複数の番組データを所定の記録媒体に転送して格納するデータ転送装置であって、
前記ディスク装置に記録済の前記複数の番組データは、前記所定記録媒体の記録可能な最大データ量を超えない総データ量となる最大個数の前記番組データを含むか否かを判別する記録判別手段と、
前記記録判別手段により前記最大個数の前記番組データを含むと判別されたとき、前記最大個数の前記番組データを前記ディスク装置から前記所定記録媒体に転送するデータ転送手段とを備える。
【０００８】
したがって、所定記録媒体の記録可能な最大データ量を超えない総データ量となる最大個数の番組データがディスク装置に記録済である事が記録判別手段により判別されたときは、自動的に、これら最大個数の番組データは所定記録媒体に転送される。
【０００９】
それゆえに、ユーザはディスク装置に記録されたシリーズものの番組のデータ量の計算をして転送のタイミングを判別しなくても、記録判別手段により自動的に転送のタイミングが特定されるから、実用性に優れる。
【００１０】
好ましくは、所定記録媒体はディスク状の記録媒体またはテープ系の記録媒体である。
【００１１】
好ましくは、前記記録判別手段により前記最大個数の前記番組データを含むと判別されたとき、前記番組データのタイトルを表示して、前記ディスク装置から前記所定記録媒体へのデータ転送をするか否かを問合せる転送問合せ手段をさらに備えて、
前記データ転送手段は、前記記録判別手段により前記最大個数の前記番組データを含むと判別されて、かつ前記転送問合せ手段の問合せに応答した転送の指示を外部から入力すると、前記最大個数の前記番組データを前記ディスク装置から前記所定記録媒体に転送する。
【００１２】
したがって、記録判別手段により自動的に転送のタイミングが特定される時には、転送に先立ちユーザに対して該番組データのタイトル表示をして転送するか否かの問い合わせをするので、データ転送を許可するか否かをユーザが最終的に決定できる。
【００１３】
好ましくは、前記記録判別手段は、前記ディスク装置に記録済の前記複数の番組データが、前記データ転送手段により前記所定記録媒体に未だ転送されていない前記番組データであって、かつ前記所定記録媒体の記録可能な最大データ量を超えない総データ量となる最大個数の前記番組データを含むか否か判別する。
【００１４】
したがって、転送対象となる最大個数の番組データは未だ所定記録媒体に転送されていないものに限ることができる。
【００１５】
好ましくは、放送信号を受信して、受信した前記放送信号に基づく前記シリーズものの複数の番組データを前記ディスク装置に記録する番組データ記録手段をさらに備える。
【００１６】
この発明の他の局面に従うとディスク装置に記録されたシリーズものの複数の番組データを所定の記録媒体に転送して格納するデータ転送方法は、
前記ディスク装置に記録済の前記複数の番組データは、前記所定記録媒体の記録可能な最大データ量を超えない総データ量となる最大個数の前記番組データを含むか否かを判別する記録判別ステップと、
前記記録判別ステップにより前記最大個数の前記番組データを含むと判別されたとき、前記最大個数の前記番組データを前記ディスク装置から前記所定記録媒体に転送するデータ転送ステップとを備える。
【発明の効果】
【００１７】
ユーザはディスク装置に記録されたシリーズものの番組のデータ量の計算をして転送のタイミングを判別しなくても、記録判別手段により自動的に転送のタイミングが特定される。また転送タイミングが特定されると、所定記録媒体の記録可能な最大データ量を超えない総データ量となる最大個数の番組データがディスク装置から所定記録媒体に自動的に転送される。この結果、実用性に優れる転送機能を得ることができる。
【発明を実施するための最良の形態】
【００１８】
以下、この発明の実施の形態について図面を参照して説明する。ここで記録されるデジタル情報は放送番組の映像信号および音声信号による画像データおよび音声データからなる番組データとしているが、これに限定されない。例えば、文字放送による文字データが記録されるようにしてもよい。
【００１９】
図１には、この発明の実施の形態に係る記録再生装置の構成が示される。図１を参照して記録再生装置はＴＶ（Television）放送を受信するＴＶアンテナ１、ＴＶアンテナ１により受信された放送信号から所望チャンネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録され、供給電力が絶たれても記録内容を保持できる図示のないＨＤを駆動制御するＨＤＤ（Hard disk drive）５、ＨＤＤ５によるＨＤへのデジタルデータの書込および読出とＤＶＤ−Ｒ１６へのデジタルデータの書込および読出とを制御する書込／読出制御部６、ＨＤＤ５によりＨＤから読出されたデジタルデータまたはＤＶＤ−Ｒ１６から読出されたデジタルデータを入力してデコードし、デジタル信号を出力するデコーダ７、デコーダ７から出力されたデジタル信号を入力してアナログ信号に変換して出力するアナログ変換部８、およびアナログ変換部８から出力されたアナログ信号を入力して映像、音声などにして出力するためのＴＶ受像機などの出力部９を備える。
【００２０】
さらに、図１の記録再生装置は、チューナ２のチューニング動作、エンコーダ４のエンコード動作、デコーダ７のデコード動作および書込／読出制御部６の動作を制御するためのＣＰＵ（Central Processing Unit）１０、ＣＰＵ１０がこれらを制御するための情報（プログラム、データなど）を記録するためのＲＯＭ（Read Only Memory）１１とＲＡＭ（Random Access Memory）１２、外部に設けられたリモコン（リモートコントローラの略）１４からの赤外線信号による指令を受信し、データに変換して、ＣＰＵ１０に与える入力部１３、ＯＳＤ（On Screen Display）回路１５、ＤＶＤ−Ｒ１６、計時動作するタイマ１７およびＥＰＧ（Electric Program Guide）抽出部１８を備える。
【００２１】
ＯＳＤ回路１５はＣＰＵ１０から与えられるデジタル情報に基づく描画データを作成してアナログ変換部８に出力する。アナログ変換部８は描画データを入力すると、これとＨＤＤ５またはＤＶＤ−Ｒ１６から読出されてデコーダ７を介して与えられるデータとをアナログ変換して出力部９に出力するので、出力部９には該描画データに基づく画像がＨＤＤ５またはＤＶＤ−Ｒ１６から読出された動画（または静止画）に重畳して表示されることになる。
【００２２】
入力部１３はリモコン１４からの指令を入力しない場合には、外部からの指令を入力するためのユーザにより操作される各種スイッチ、ボタンなどから構成されてもよい。
【００２３】
リモコン１４は、外部からユーザにより操作されるチャンネル指定などのためのテンキー１４０、決定ボタン１４２、カーソルキー１４３およびモード切換キー１４４を備える。カーソルキー１４３は出力部９に表示されるカーソルなどのポインタを上下左右のそれぞれの方向に移動させるための複数種類のキーを含む。
【００２４】
ＥＰＧ抽出部１８はアンテナ１、チューナ２およびデジタル変換部３を経由して入力したデジタル情報から、放送信号とともに送信されているＥＰＧ情報を抽出して、抽出したＥＰＧ情報をＣＰＵ１０に与える。
【００２５】
なお、ＨＤＤ５によるＨＤへの情報の書込（記録）／読出（再生）、ならびにＤＶＤ−Ｒ１６への情報の書込（記録）／読出（再生）は、ＣＰＵ１０の制御の下に読出／書込制御部６を介して行なわれる。ここでは、ＨＤＤ５とＤＶＤ−Ｒ１６について読出／書込制御部６を共用して設けているが、書込／読出制御部６をそれぞれ個別に設けるようにしてもよい。
【００２６】
ＲＡＭ１２には、図２および図３に示されるような予約テーブル６１および録画管理テーブル６２が格納される。
【００２７】
図２を参照して予約テーブル６１は、ユーザがアンテナ１を介して受信する放送信号による番組の録画の予約をした場合に、各予約に対応してレコード１Ｒが格納される。レコード１Ｒは、対応する予約を一意に識別するための予約ＩＤ（identifier）のデータＤ１、予約された番組の録画の開始時間を示すデータＤ２、予約された録画の曜日を指示するデータＤ３、予約された録画の番組を放送しているチャンネルを示すデータＤ４、予約された内容に従い繰返し録画を行なうか否かを指示するデータＤ５、予約録画された内容をＤＶＤ−Ｒ１６に転送して記録するか否かを指示するデータＤ６および予約された録画の記録モード（ビットレート(bit／sec)）を指示するデータＤ７を含む。
【００２８】
データＤ５としては、たとえばＴＶ放送の毎週連続するシリーズ番組を録画予約する場合には、毎週連続して録画をするように指示するために“○”が記録されて、単発のドラマなどである場合には毎週連続の録画は必要ないので“×”が記録される。またデータＤ６としては、ＨＤからＤＶＤ−Ｒ１６へ転送して記録することが指示されているときには“１”が記録されて、そうでないときには“０”が記録される。記録モードのデータＤ７としては、ここでは“標準”モードと“３倍速”モードを設けているが、これに限定されない。３倍速モードである場合には、標準モードに比べて、単位時間当りのデータの記録容量は３倍となっている。
【００２９】
図２に示した予約テーブル６１の内容は、ユーザがリモコン１４を操作することにより設定することができる。具体的には、ユーザがリモコン１４のモード切換キー１４４を操作して、録画予約モードへの切り替えを指令すると、ＣＰＵ１０はリモコン１４から与えられる録画予約モードの切換指令を入力部１３を介して入力するので、ＣＰＵ１０は、ＯＳＤ回路１５を介して出力部９に図４の画面を表示する。
【００３０】
図４の画面では、ユーザに対して、番組録画の予約のためのデータを入力するように促す表示がなされている。ユーザは、画面を確認しながらリモコン１４を操作することで次の様なデータを入力する。つまり、図４の画面のエリア９１において録画を予約する曜日を指定している。ここでは、カーソルキー１４３を操作して画面上のカーソルを移動させることで“火曜日”を指定している。次に、テンキー１４０を操作してエリア９２において録画のための時間帯を入力し指定している。次に、録画を予約する番組の放送チャンネルをテンキー１４０を操作してエリア９３において指定している。次に、カーソルキー１４３を操作して画面上のカーソルを移動させることで録画の記録モードが指定されている。ここでは、エリア９４において記録モードとして“３倍速モード”が指定されている。
【００３１】
また、ユーザは、録画予約した番組が連続ドラマなどのように毎週同じ予約内容で録画するか否かに基づき繰返し録画をするか否かを指定するためのデータをエリア９５において入力する。ここでは、カーソルキー１４３を操作して画面上のカーソルを移動させることで繰返し（YES）が指定されている。次に、予約された内容でＨＤに録画された番組データをＤＶＤ−Ｒ１６に転送して記録するか否かが、カーソルキー１４３を操作して画面上のカーソルを移動させることでエリア９６において指定される。ここでは、ＤＶＤ−Ｒ１６への転送が指定されている。
【００３２】
このようにしてエリア９１〜９６において録画予約のためのデータの指定が終了すると、ユーザはエリア９７の表示メッセージを確認して、リモコン１４の決定キー１４２を押下するので、ＣＰＵ１０は決定キー１４２の押下による指令信号を入力して、応じて出力部９の画面上のエリア９１〜９６で指定されたデータを入力して、入力データをＲＡＭ１２の予約テーブル６１に新たなレコード１Ｒとして追加格納する。
【００３３】
追加のレコード１Ｒにはエリア９１の指定データはデータＤ３として、エリア９３の指定データはデータＤ４として、エリア９５の指定データはデータＤ５として、エリア９６のデータはデータＤ６として、エリア９４のデータはデータＤ７としてそれぞれ格納される。新たに追加格納されるレコード１Ｒについては予約ＩＤのデータＤ１がＣＰＵ１０により割当てられている。
【００３４】
図３を参照して、録画管理テーブル６２には、図２の予約テーブル６１においてデータＤ６が“１”を示している、すなわちＤＶＤ−Ｒ１６への転送・記録が指定されている番組データがＨＤに録画がされる毎に、対応のレコード２Ｒが追加して格納される。レコード２Ｒは、対応の番組データの番組タイトルを示すデータＤ１０、ＨＤに録画された日時を示すデータＤ１１、該番組データのＨＤの先頭（記録開始）アドレスを示すデータＤ１２、該番組に対応のデータＤ１の予約ＩＤを示すデータＤ１３、該番組データが録画された時間長さを示す録画時間のデータＤ１４、該番組のデータＤ７の記録モード、すなわち録画のビットレートを示すデータＤ１５およびデータＤ１６を含む。データＤ１６はフラグのデータであり、該レコード２Ｒに対応の番組データのＤＶＤ−Ｒ１６への転送・記録が終了した場合には該フラグの値として“１”がセットされそうでない場合には“０”がセットされる。ＨＤＤ５によるＨＤへの録画終了時点（レコード２Ｒの格納時点）では、データＤ１６には“０”が設定されている。
【００３５】
ここでは、番組データは、ＨＤにおいて飛び飛びの領域に記録されるのではなく、データＤ１２で示される先頭アドレスから連続した領域に記録されるものと想定する。
【００３６】
次に、予約テーブル６１を参照した予約録画モードについて図５のフローチャートに従い説明する。図５のフローチャートに従う手順は、予めプログラムとしてＲＯＭ１１に格納されており、ＣＰＵ１０が該プログラムを読出すことにより、予約録画モードに従う動作が実行される。
【００３７】
まず、ＣＰＵ１０は、ＲＡＭ１２中の予約テーブル６１を参照する（ステップＳ（以下、単にＳと略す）１）。その参照結果、予約テーブル６１中のレコード１Ｒのうち、データＤ２およびＤ３が示す時間がタイマ１７で計時する現在時間を示すものがあるか否かを判定し、その判定結果に基づいて予約録画の時間に達しているか否かを識別する（Ｓ２）。予約録画の時間に達したことを示すレコード１ＲがなければＳ１の処理に戻るが、予約録画の時間になったことを示すレコード１Ｒがあることが識別されると、予約録画を開始する。
【００３８】
まず、データＤ２およびＤ３が予約録画の時間に達していることを示すレコード１ＲのデータＤ４が示す指定チャンネルの情報を、チューナ２に対して与えるので、チューナ２は、与えられた指定チャンネルについてチューニング動作をする。これにより、指定チャンネルについて放送されている番組のデータがデジタル変換部３、エンコーダ４を介してＨＤＤ５によりＨＤに記録される（Ｓ３）。このときの記録モードは、ＣＰＵ１０の制御の下に書込／読出制御部６により制御される。その記録モードは、該レコード１ＲのデータＤ７によって指示される。
【００３９】
また、ＣＰＵ１０は、読出したレコード１ＲについてのデータＤ６に基づき、ＨＤに記録しているデータがＤＶＤ−Ｒ１６へ転送し記録することが要求（指定）されているか否かを判別する。また、ＣＰＵ１０は、ＥＰＧ抽出部１８から入力したＥＰＧ情報から現在録画している番組のタイトルデータを抽出する。
【００４０】
次に、ＣＰＵ１０は録画を終了するか否か、すなわち番組の放送が終了して、録画を終了するか否かを判定する（Ｓ４）。録画を終了すると判定しない間は、ステップＳ３において番組データの録画が継続するが、録画終了を判定すると、ＣＰＵ１０は録画管理テーブル６２に、今回録画した番組データに対応したデータを格納した新たなレコード２Ｒを格納する（Ｓ５）。
【００４１】
新たなレコード２Ｒには次のようなデータが格納される。つまり、ＥＰＧ情報から抽出した番組のタイトルをデータＤ１０として、タイマ１７から読取った該番組データの録画開始日時をデータＤ１１として、該番組データのＨＤおける先頭アドレスをデータＤ１２として、該番組データに対応のレコード１ＲのデータＤ１で示される予約ＩＤをデータＤ１３として、タイマ１７により計時された録画開始から録画終了までの時間期間をデータＤ１４として、該番組データに対応のレコード１ＲのデータＤ７が示す記録モードに従うビットレートを指示するデータをデータＤ１５として、およびデータＤ１６を格納する。レコード２Ｒが新たに追加されるとき、前述したように該レコード２ＲのデータＤ１６は“０”を示す。
【００４２】
このように、図５の手順に従うことで、予約された録画時間が来る毎に、予約録画が実行されて、録画されたデータはＨＤＤ５によりＨＤに記録されていく。
【００４３】
ＨＤに記録された番組のデータはＤＶＤ−Ｒ１６へ転送されて、ここに記録される。この転送・記録は、図１の装置に電源がＯＮされる都度、ＣＰＵ１０の制御の元に図６の手順に従い実行される。図６の手順は、予めプログラムとしてＲＯＭ１１に格納されて、ＣＰＵ１０により該プログラムが読出されて実行されることで該手順に従う機能が実現される。
【００４４】
なお、ここでは説明を簡単にするために、初期状態のＤＶＤ−Ｒ１６に、言い換えるとＤＶＤ記録装置などにより何らデータの書き込みがされていない状態のＤＶＤ−Ｒ１６に対してデータ転送をすると想定する。また、録画管理テーブル６２にはデータＤ１０が示すタイトルが同一のレコード２Ｒのみが格納されていると想定する。また、これらレコード２ＲについてデータＤ１４が示す録画時間とデータ１５が示すビットレートは全てのレコード２Ｒにおいて同じ値を示すと想定する。
【００４５】
まず、ＣＰＵ１０は電源がＯＮされたか否かを判定する（Ｓ１０）。電源がＯＮされたことを判定すると（Ｓ１０でＹＥＳ）、初期状態の１枚分のＤＶＤ−Ｒ１６に転送するだけの量の番組データがＨＤにおいて録り貯められているか否かを判定する。録り貯めたことが判定されない間は、ＤＶＤ−Ｒ１６への転送は省略されて次の所定処理へ移行する（Ｓ１６）。  録り貯めたか否かは、次のようにして判定される。つまり、録画管理テーブル６２のレコード２ＲのうちデータＤ１６が‘０’であるレコード２Ｒがあるか否か、すなわちＤＶＤ−Ｒ１６への転送が指定されていながらまだＨＤからＤＶＤ−Ｒ１６に転送がされていない番組データ（以下、未転送番組データという）があるか否かを判定する。
【００４６】
未転送番組データがなければ録り貯められていないと判定されて、ステップＳ１６の処理に移行する。一方、未転送番組データがあれば、次のように、ＤＶＤ−Ｒ１６の記録可能な最大データ量を超えない総データ量となる番組データの最大個数Ｍの判定がされる。
【００４７】
すなわち録画管理テーブル６２においてデータＤ１６が‘０’を示すレコード２Ｒの数をＮ（ただし、Ｎ＝１，２，３、…）、各レコード２Ｒに対応の番組データの容量をＣＡ（ＣＡ＝データＤ１５が示すビットレート＊データＤ１４が示す録画時間）およびＤＶＤ−Ｒ１６の記録可能最大容量をＭＡＸとすると、ＭＡＸ−Ｍ＊ＣＡ＜ＣＡ（ただし１≦Ｍ≦Ｎ）の条件が成立するか否かにより判定する。なお、記録可能最大容量ＭＡＸを示すデータはＤＶＤ−Ｒ１６の所定領域に予め記録されているので、ＣＰＵ１０は該所定領域を参照することで簡単に記録可能最大容量ＭＡＸを知ることができる。
【００４８】
この条件式が成立すると、録り貯めたことが判定されて（Ｓ１１でＹＥＳ）、ＣＰＵ１０はＯＳＤ回路１５を介して出力部９に図７のアーカイブ通知画面を表示する（Ｓ１２）。ＣＰＵ１０は録画管理テーブル１２からレコード２ＲのデータＤ１０が示す番組タイトルを読み出して、読み出した番組タイトルのデータを用いて図７の画面を出力部９に表示するよう制御する。
【００４９】
ユーザは図７の画面のメッセージを確認してＤＶＤ−Ｒ１６への転送を希望すると、ユーザはリモコン１４のカーソルキー１４３を操作して、図７の画面のエリア９８において“ＹＥＳ”を指示するので、ＣＰＵ１０はＤＶＤ作成の指示ありと判定し（Ｓ１３でＹＥＳ）、ＤＶＤへのアーカイブ（記録）処理（Ｓ１４）を行なう。
【００５０】
アーカイブ処理は次のように行われる。つまり、ＣＰＵ１０は、録画管理テーブル６２の未転送番組データのレコード２ＲのうちデータＤ１１が示す日時が古い順番にＭ個のレコード２Ｒに対応の番組データそれぞれを、書込／読出制御部６を介してＨＤから読出してＤＶＤ−Ｒ１６に転送して記録する。つまり、Ｍ個の番組データそれぞれについて、対応のレコード２ＲのデータＤ２が示すＨＤのアドレスから容量ＣＡ分のデータを読出して、ＤＶＤ−Ｒ１６に転送し書込む。ここでは、番組データは圧縮しながら書込まれるようにしてもよい。
【００５１】
ＤＶＤへの転送処理が終了すると、ＣＰＵ１０は今回ＤＶＤ−Ｒ１６に転送したＭ個の番組データのレコード２Ｒについて、そのデータＤ１６を“０”→“１”に更新してＤＶＤ−Ｒ１６への転送が完了したことを指示する（Ｓ１５）。その後、次の所定処理（Ｓ１６）へ移行する。
【００５２】
ここでは録画管理テーブル６２には１種類の番組タイトルのデータのレコード２Ｒのみが格納されるとしたが、複数種類の番組タイトルのレコード２Ｒが格納される場合には、各番組タイトルのレコード２Ｒについて、ステップＳ１１〜Ｓ１５の処理が繰返されることになる。
【００５３】
このように、連続ドラマなどをＨＤＤ５によりＨＤへ録り貯めて、ＤＶＤ−Ｒ１６の１枚分に記録する放送回数分が録り貯められたことを検出した時点で、図７の画面を表示して、ユーザに対して“ある番組についてＤＶＤ−Ｒ１枚分へ記録するだけデータが録り貯められた”旨を知らせることができる。したがって、ユーザは通知を受けた時にＤＶＤ−Ｒ１６への転送指示を入力するだけで、１枚分のＤＶＤ−Ｒ１６に記録可能な最大容量の連続番組データを転送することができて、従来のような容量計算の面倒さをなくすことができる。
【００５４】
〈変形例〉
ＣＰＵ１０はステップＳ１３で入力されるユーザの指示を受理したときにのみ、ステップＳ１４のＤＶＤへの転送処理を実行するようにしているが、ユーザの指示を仰ぐことなく、録り貯めたと判定したときには（Ｓ１１でＹＥＳ）、自動的に、ステップＳ１４におけるＤＶＤへの転送処理を実行するようにしてもよい。
【００５５】
また、ステップＳ１１の条件式が成立するか否かの計算は、新規レコード２Ｒが録画管理テーブル６２に格納される都度行うようにして、成立したか否かの情報をＣＰＵ１０が保持して、電源ＯＮ時のステップＳ１１の判定で該情報を参照するようにしてもよい。
【００５６】
また、ＨＤからＤＶＤ−Ｒ１６への転送が完了した番組データについてはＨＤから削除するようにしてＨＤにおける空き容量を確保するようにしてもよい。この削除をするか否かはユーザに問い合わせるようにしてもよい。これにより、ＨＤに録り貯め過ぎて、ＨＤの空き容量がなくなってしまと、ドラマを録り逃がしてしまう惧れはなくなる。
【００５７】
また、ユーザが予約テーブル６１の内容を、書替えることができるようにして、データＤ６で示されるＤＶＤ−Ｒ１６への記録の要否も任意に書替えられるようにしてもよい。
【００５８】
また、ＤＶＤ−Ｒ１６の記録可能最大容量ＭＡＸはＣＰＵ１０がＤＶＤ−Ｒ１６の所定領域を参照して取得するとしているが、これに限られない。たとえば、ＣＰＵ１０に対して、ユーザがリモコン１４を操作して外部から記録可能最大容量ＭＡＸを与えるようにしてもよい。
【００５９】
また、ＨＤから読出されたデータが転送される先の媒体はＤＶＤ−Ｒとしているが、これに限定されず、ＤＶＤ−ＲＡＭ（ＤＶＤ−ＲＷ（Digital Versatile Disc ReWritable）ともいう）であってもよい。また、ＨＤからデータが転送される先の媒体はディスクに限定されずビデオテープなどであってもよい。ビデオテープである場合には、その記録可能最大容量ＭＡＸは、ユーザがリモコン１４を操作してＣＰＵ１０に与えることになるであろう。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】この発明の実施の形態に係る記録再生装置の構成図である。
【図２】この発明の実施の形態に係る予約テーブルの内容例を示す図である。
【図３】この発明の実施の形態に係る録画管理テーブルの内容例を示す図である。
【図４】この発明の実施の形態に係る画面表示例を示す図である。
【図５】この発明の実施の形態に係る予約録画モードの処理フローチャートである。
【図６】この発明の実施の形態に係るＤＶＤへの記録処理のフローチャートである。
【図７】この発明の実施の形態に係る録画の予約設定のための表示画面例を示す図である。
【符号の説明】
【００６２】
５  ＨＤＤ、６  書込／読出制御部、９  出力部、１０  ＣＰＵ、１２  ＲＡＭ、１４  リモコン、１６  ＤＶＤ−Ｒ、６１  予約テーブル、６２  録画管理テーブル。
【図１】
2006005632.tif 000003
【図２】
2006005632.tif 000004
【図３】
2006005632.tif 000005
【図４】
2006005632.tif 000006
【図５】
2006005632.tif 000007
【図６】
2006005632.tif 000008
【図７】
2006005632.tif 000009